(57)【要約】【課題】枠板に食器状凹部を有する複数の擬似食器を形成することにより、あたかも前記枠板に複数の食器が嵌め込まれたような形状のトレー型食器であっても、各食器状凹部の容積を大きくできるように成形した合成樹脂製のトレー型食器の提供を目的とする。【解決手段】食器状凹部５ａを有する擬似陶磁器の周縁部６ａの一部が、この擬似陶磁器の隣に形成される食器状凹部５ｂを有する擬似陶磁器６ｂの周縁部の一部と共通になるように成形されているため、枠板状トレー部４における食器状凹部５ａ，５ｂの割合を大きくすることができる。これにより、陶磁器のもつ質感を精密に再現した高級感のあるトレー型食器としながらも、各食器状凹部の容積を増やすことができる。【選択図】    図１
2004189263.tif 000002
【特許請求の範囲】
【請求項１】
枠板に食器状凹部を有する複数の擬似食器を形成することにより、あたかも前記枠板に複数の食器が嵌め込まれたような形状のトレー型食器であって、
前記複数の擬似食器のうちで第１の擬似食器の周縁部の一部が、前記第１の擬似食器の隣に形成される第２の擬似食器の周縁部の一部と共通になるように成形されていることを特徴とするトレー型食器。
【請求項２】
前記第１の擬似食器の周縁部が、前記第２の擬似食器の周縁部よりも、前記枠板に対して高く成形されていることを特徴とする請求項１に記載のトレー型食器。
【請求項３】
前記共通に成形された周縁部の一部の色彩又は模様が、前記第１の擬似食器の周縁部の色彩又は模様となるように成形されていることを特徴とする請求項１又は２に記載のトレー型食器。
【発明の詳細な説明】
【０００１】
【発明の属する技術分野】
本発明は、枠板に複数の食器状凹部を成形することにより、あたかも前記枠板に前記複数の食器が嵌め込まれたような形状のトレー型食器に関する。
【０００２】
【従来の技術】
従来、この種の給食用弁当箱に利用されるトレー型食器としては、表面に設けられる複数個の食器状凹部が、単に食品を収納するだけの無模様の凹陥部として設けられていた。ところが、近頃の傾向として、一部の給食用弁当箱では、食器状凹部に陶磁器製の食器の形状や図柄を写真印刷した図柄シートを一体に成形した擬似陶磁器とすることで、利用者に食器部分があたかも本物の陶磁器であるかのような高級感を与えるようなものが提供されるようになってきた。
【０００３】
従来より、合成樹脂樹脂製の食器の表面に図柄がプリントされるように成形する方法としては、予め透明の合成樹脂シートの片面に任意の図柄を印刷し、この図柄シートを真空成形器によって、目的とする食器状凹部を、印刷インク面がこの食器状凹部の外側（外周面）に設けられるように真空形成して、この真空成形で得られた図柄シートの食器状凹部を射出成形器の雄金型の表面に取り付けて、印刷インク面が外側にある図柄シートと雌金型との間に熱可塑性樹脂を射出注入することで、図柄シートの外側に食器本体の樹脂を一体成形する方法が特公昭５０−１９１３２号などにより公開されている。
【０００４】
上記の方法による場合は、射出成形器の雄金型の表面に取り付けられた図柄シートは、印刷インク面が食器状凹部の外側（外周面）にあって、この印刷インク面の外側に配置された雌金型との間に熱可塑性樹脂が射出注入されることで食器本体が成形されるので、前記図柄シートの印刷インク面は、表面のシート樹脂面と裏側の食器本体の樹脂層との間に挟まれて表面のシート樹脂面により保護されるため、食器が継続的に繰り返し使用されても印刷インク面の剥げ落ちを防止できるという利点を有する。
【０００５】
ところが、上記の方法による場合は、図柄シートに印刷された食器の形状部分を真空成形により、印刷インク面が食器状凹部の外側にあるように凹設して、この印刷インク面のある食器状凹部の表面と雌金型との間に溶融された熱可塑性樹脂を射出注入するため、図柄の印刷インク面が溶融熱可塑性樹脂の熱により溶けて図柄の形状や色彩に歪みが発生し、精密な印刷面を維持できないという問題が生じている。
【０００６】
このような問題は、図柄シートに表される印刷面が手書きによる部分的図柄のようなある程度粗いものである場合は、多少の図柄の変形は無視できるとしても、印刷面が実際の陶磁器の表面形状をオフセット印刷やグラビア印刷により写真製版された全面にインクが印刷されたものの場合には、印刷インク面の表面に溶融熱可塑性樹脂が射出注入されることで印刷インク面が溶融樹脂の熱による影響を受け、精密な粒子の形状が崩れることになり、忠実な印刷面を表現することができないという問題があった。
【０００７】
そこで、上記問題を解決するため、従来、図７に示すような合成樹脂製のトレー型食器が提案されている（特許文献１参照）。このトレー型食器１０１は、枠板状トレー部１０４の表面と複数個の陶磁器製食器内周面の図柄１０３とを印刷した合成樹脂シートにおける夫々の食器内周面の図柄部分に、印刷面を内側表面として夫々食器状凹部１０５を設けた図柄成形シート１０２と、この図柄成形シート１０２の裏面に一体に成形された熱可塑性の本体樹脂層１０７とからなり、前記図柄成形シート１０２の表面の印刷面に透明又は半透明の保護塗膜層１１０がコーティングされている。  これにより、食器状図柄部分を夫々食器状に凹設することで得た図柄成形シート１０２の裏面に本体樹脂層を成形したトレー型食器１０１として、夫々食器状凹部１０５を有する図柄成形シート１０２の裏面に溶融本体樹脂層を成形した時に、図柄成形シート１０２の印刷面が本体樹脂層１０７の熱による影響を受けることなく美麗に再現でき、継続的に繰り返し使用されても図柄成形シート１０２の印刷面が剥げ落ちすることのない高級感のあるトレー型食器１０１を提供することができる。
【０００８】
【特許文献１】
実用新案登録第３０５６５４１号公報
【０００９】
【発明が解決すべき課題】
しかしながら、従来のトレー型食器１０１では、図７に示すように、各食器状凹部１０５が、それぞれ離れた状態で成形されていたため、各食器状凹部１０５の容積が少ないという問題が生じていた。
【００１０】
本発明は上述した事情を鑑みてなされたものであり、枠板に食器状凹部を有する複数の擬似食器を形成することにより、あたかも枠板に複数の食器が嵌め込まれたような形状のトレー型食器であっても、各食器状凹部の容積を大きくできるように成形した合成樹脂製のトレー型食器を提供することを目的としたものである。
【００１１】
【課題を解決するための手段】
上記目的を達成するため、請求項１に係る発明は、枠板に食器状凹部を有する複数の擬似食器を形成することにより、あたかも前記枠板に複数の食器が嵌め込まれたような形状のトレー型食器であって、前記複数の擬似食器のうちで第１の擬似食器の周縁部の一部が、前記第１の擬似食器の隣に形成される第２の擬似食器の周縁部の一部と共通になるように成形されていることを特徴とするトレー型食器である。
【００１２】
また、請求項２に係る発明は、前記第１の擬似食器の周縁部が、前記第２の擬似食器の周縁部よりも、前記枠板に対して高く成形されていることを特徴とする請求項１に記載のトレー型食器である。
【００１３】
また、請求項３に係る発明は、前記共通に成形された周縁部の一部の色彩又は模様が、前記第１の擬似食器の周縁部の色彩又は模様となるように成形されていることを特徴とする請求項１又は２に記載のトレー型食器である。
【００１４】
【発明の実施の形態】
〔第１の実施形態〕
以下に、本発明の第１の実施形態に係るトレー型食器１の構成を、図面に示すような弁当箱に実施した場合の例により説明する。このトレー型食器１は、図１に示すように、このトレー型食器１とは別に成形された箱容器１１内に着脱可能に嵌合される中仕切Ａとして構成される場合と、図５に示すように、トレー型食器１が、固定仕切型の弁当箱Ｂ自体として構成される場合とがある。
【００１５】
中仕切Ａの場合も固定仕切型弁当箱Ｂの場合も、トレー型食器１が、合成樹脂製シートの表面に複数個の陶磁器の図柄３を印刷した図柄成形シート２と、この図柄成形シート２の裏面に一体的に設けられた熱可塑性の本体樹脂層７とからなっている。
【００１６】
上記図柄成形シート２は、図２に示すように、予めＡＢＳ樹脂等のフィルム状シートに、木製を擬した黒色の枠板状トレー部４と、このトレー部４上に配置された皿小鉢のような複数個の陶磁器製等の食器の図柄３ａ，３ｂ，３ｄ（これらの総称を示す符号を「３」とする）とがオフセット印刷もしくはグラビア印刷により写真製版され、図３のように真空成形によって夫々の食器の図柄３の部分が印刷面Ｐを内側表面（内周面）になるように凹設されて、夫々食器状凹部５ａ，５ｂ，５ｃ，５ｄ（これらの総称を示す符号を「５」とする）が形成されている。これにより、枠板状トレー部４に食器状凹部５を有する複数の擬似陶磁器が形成されることになる。
【００１７】
更に、食器状凹部５ｄを有する擬似陶磁器の周縁部６ｄの一部分の色彩又は／及び模様は、食器状凹部５ｂ，５ｃをそれぞれ有する擬似陶磁器の周縁部６ｂ，６ｃの一部分によって、それぞれ隠れたように見せるために印刷されていない。また、食器状凹部５ｂ，５ｃを有する擬似陶磁器の周縁部６ｂ，６ｃの一部分の色彩又は／及び模様は、食器状凹部５ａを有する擬似陶磁器の周縁部６ａの一部分の色彩又は／及び模様によって、それぞれ隠れたように見せるために印刷されていない。尚、周縁部６ａ，６ｂ，６ｃ，６ｄの総称を示す符号を「６」とする。
【００１８】
上記の図柄成形シート２における夫々の擬似陶磁器の図柄３の部分を真空成形により食器状凹部５として凹設する際には、これら食器状凹部５の周縁部６が周囲の枠板状トレー部４の表面より高く突出するように成形して、あたかも擬似陶磁器が周縁部を枠板状トレー部４上に突出するようにして枠板状トレー部４に設けられた穴に嵌め込まれているような形状に成形されている。特に、周縁部６ａの一部を、隣の周縁部６ｂ，６ｃの表面よりも、枠板状トレー部４に対して高く成形して、あたかも擬似陶磁器の周縁部６ｂ，６ｃが、擬似陶磁器の周縁部６ａの下に入り込んでいるような形状となっている。更に、周縁部６ｂ，６ｃの一部を、隣の周縁部６ｄの表面よりも、枠板状トレー部４に対して高く成形して、あたかも擬似陶磁器の周縁部６ｄが、擬似陶磁器の周縁部６ｂ，６ｃの下に入り込んでいるような形状となっている。
【００１９】
また、真空成形により夫々の食器状凹部５が凹設された図柄成形シート２は、食器状凹部５を、図４に示すように射出成形機の雄金型８の表面に取付け、この図柄成形シート２の裏面と雌金型９との間に熱可塑性溶融樹脂を射出成形することで、図柄成形シート２の裏面に本体樹脂層７を成形し、図柄成形シート２と本体樹脂層７とが一体的に重合されてトレー型食器１が成形される。特に、図４に示すように、擬似陶磁器の周縁部６ａの一部が、隣の周縁部６ｂの表面より、枠板状トレー部４に対して長さＬだけ高く突出するように成形される。これにより、擬似陶磁器の周縁部６ａの一部が、隣に形成される擬似陶磁器の周縁部の一部と共通になるように成形されることになり、成形後の図柄成形シート２を見た場合には、上述のごとく、あたかも擬似陶磁器の周縁部６ａの下に、擬似陶磁器の周縁部６ｂが入り込んでいるように見える。
【００２０】
そして、上記トレー型食器１が成形されて射出成形機から外された後、図１に示すように、図柄成形シート２の表面、つまりトレー部４の表面及び食器状凹部５の内側表面（内周面）に、透明又は半透明の樹脂塗料、例えばポリウレタン系樹脂塗料を吹き付けることにより保護塗膜層１０が形成される。これにより、保護塗膜層１０、図柄成形シート２、及び本体樹脂層７による３層構造となる。
【００２１】
また、図１に示すトレー型食器１は、平坦な枠板状トレー部４と、この枠板状トレー部４に周縁部６ａを一番上とし、次に周縁部６ｂ，６ｃを上とし、最後に周縁部６ｄを一番下とした状態で凹設された複数個の皿小鉢状のような食器状凹部５ａ，５ｂ，５ｃ，５ｄとからなっており、この平坦な枠板状トレー部４がトレー型食器１とは別に成形される箱容器１１内に着脱可能に嵌合される中仕切Ａとして構成される。
【００２２】
また、上記トレー型食器１は、図５に示すように、図柄成形シート２の裏面に射出成形機により本体樹脂層７を成形する際に、外側の本体樹脂層７の四隅に積み重ね用の糸尻１２が設けられるようにして、複数個の食器状凹部５が凹設された平坦な枠板状トレー部４を、図示外の蓋を被せて使用する固定仕切型の弁当箱Ｂ自体として構成してもよい。
【００２３】
以上説明したように第１の実施形態によれば、例えば、食器状凹部５ａを有する擬似陶磁器の周縁部６ａの一部が、この擬似陶磁器の隣に形成される食器状凹部５ｂを有する擬似陶磁器６ｂの周縁部の一部と共通になるように成形されているため、枠板状トレー部４における食器状凹部５ａ，５ｂの割合を大きくすることができる。これにより、陶磁器のもつ質感を精密に再現した高級感のあるトレー型食器としながらも、各食器状凹部の容積を増やすことができるという効果を奏する。
【００２４】
また、例えば、食器状凹部５ａを有する擬似陶磁器の周縁部６ａが、食器状凹部５ｂを有する擬似陶磁器の周縁部６ｂよりも、枠板状トレー部４に対して高く成形されているため、周縁部６ａの下に周縁部６ｂが入り込むように見える。これにより、各食器状凹部の容積を増やしながらも、陶磁器のもつ立体感を精密に再現したトレー型食器とすることができるという効果を奏する。
【００２５】
尚、上記図１及び図５に示す例では、陶磁器の周縁部６ａが最上位で、周縁部６ｂ、６ｃが一段低く、周縁部６ｄが更に一段低いように成形されているが、これに限るものではなく、例えば、周縁部６ａ，６ｄが上位で、周縁部６ｂ，６ｃが下位となるように成形してもよい。または、周縁部６ａの一段下に周縁部６ｂが成形され、周縁部６ｃの一段下に周縁部６ｄが成形されるが、周縁部６ｃは周縁部６ａの一段上となるように成形されるようにしてもよい。
【００２６】
〔第２の実施形態〕
以下に、本発明の第２の実施形態に係るトレー型食器１’の構成を、図６に示すような弁当箱に実施した場合の例により説明する。尚、上記第１の実施形態と同一構成については同一の符号を付して、その説明を省略する。
【００２７】
第１の実施形態に係るトレー型食器１では、擬似陶磁器の周縁部６ａ，６ｂ，６ｃ，６ｄの高さが異なっていたが、第２の実施形態では、どの擬似陶磁器の周縁部６ａ，６ｂ，６ｃ，６ｄの高さも同じである。但し、図６に示すように、周縁部６ａと周縁部６ｂの共通部分の色彩又は（及び）模様が、周縁部６ａの色彩又は（及び）模様に付されている。また、周縁部６ａと周縁部６ｃの共通部分の色彩又は（及び）模様が、周縁部６ａの色彩又は（及び）模様に付されている。更に、周縁部６ｂと周縁部６ｄの共通部分の色彩又は（及び）模様が、周縁部６ｂの色彩又は（及び）模様に付されている。また、周縁部６ｃと周縁部６ｄの共通部分の色彩又は（及び）模様が、周縁部６ｃの色彩又は（及び）模様に付されている。
【００２８】
このように、各周縁部６に高さの違いはないが、周縁部６の共通部分の色彩又は（及び）模様の付し方が、周縁部６ａ、周縁部６ｂ（６ｃ）、周縁部６ｄの順に優先度があるため、トレー型食器１’の平面図としては、図２と同じになる。
【００２９】
また、トレー型食器１’の成形は、上記第１の実施形態及び図４に示した成形方法により行う。
【００３０】
更に、第２の実施形態においても、トレー型食器１’が、図５に示すように、固定仕切型の弁当箱Ｂ自体として構成される場合もある。
【００３１】
以上説明したように第２の実施形態によれば、共通に成形された周縁部６ａ，６ｂ，６ｃ，６ｄの高さが全て同じであるため、上記第１の実施形態に比べて簡単に成形することができるという効果を奏する。しかも、例えば、周縁部の一部６ａ（６ｂ）の色彩又は／及び模様が、周縁部６ａの色彩又は／及び模様となるように成形されているため、各食器状凹部の容積を増やしながらも、陶磁器のもつ立体感を精密に再現したトレー型食器とすることができるという効果を奏する。
【００３２】
【発明の効果】
以上説明したように本発明によれば、複数の擬似食器のうちで第１の擬似食器の周縁部の一部が、この第１の擬似食器の隣に形成される第２の擬似食器の周縁部の一部と共通になるように成形されていることで、枠板における各食器状凹部の割合を大きくすることができる。これにより、陶磁器等の食器のもつ質感を精密に再現した高級感のあるトレー型食器としながらも、各食器状凹部の容積を増やすことができるという効果を奏する。
【図面の簡単な説明】
【図１】本発明の第１の実施形態に係るトレー型食器の構成を示す一部を欠切した斜視図。
【図２】図柄成形シートの平面図。
【図３】図柄成形シート一部欠切斜視図。
【図４】図柄成形シートと本体樹脂層との成形工程を示す金型の断面図。
【図５】本発明の第１の実施形態に係るトレー型食器の別の実施例を示す一部を欠切した斜視図。
【図６】本発明の第２の実施形態に係るトレー型食器の別の実施例を示す一部を欠切した斜視図。
【図７】従来の本発明に係るトレー型食器の構成を示す一部を欠切した斜視図。
【符号の説明】
１  トレー型食器
２  図柄成形シート
３  図柄
４  枠板状トレー部
５  食器状凹部
６  周縁部
７  本体樹脂層
８  雄金型
９  雌金型
１０  透明保護塗膜層
１１  箱容器
１２  糸尻
Ｐ  印刷面
【図１】
2004189263.tif 000003
【図２】
2004189263.tif 000004
【図３】
2004189263.tif 000005
【図４】
2004189263.tif 000006
【図５】
2004189263.tif 000007
【図６】
2004189263.tif 000008
【図７】
2004189263.tif 000009